(57)【要約】【課題】形態安定性がよく、長期間にわたって使用できるような弁当容器の提供。【解決手段】外周縁を形成する外周縁部１３に囲まれた内側領域１４に開口形状が互いに異なる５個の食品収容凹部１５，１６，１７，１８，１９が形成された弁当容器１１において、外周縁部１３を平面視長円形に形成する。長手方向の両側には、内側領域１４における両端輪郭線２０，２１の内側に、外周縁部１３の外面の両端輪郭線２０，２１と同心円の円弧状をなす外側輪郭線２７，２８を有する３個の食品収容凹部１５，１６，１７と、他の２個の食品収容凹部１８，１９を形成し、外周縁部１３と、食品収容凹部１５，１６，１７，１８，１９と、これらを仕切る仕切り部２３，２４，２５，２６で歪みの発生を防止する。【選択図】図３
0003168677.tif 000002
【実用新案登録請求の範囲】
【請求項１】
外周縁を形成する外周縁部に囲まれた内側領域に開口形状が互いに異なる複数の食品収容凹部が形成された弁当容器であって、
前記外周縁部の長手方向の両端に、平面視半円弧状をなす両端輪郭線が形成されて前記外周縁部が平面視長円形をなし、前記内側領域における前記両端輪郭線の内側に、該両端輪郭線と同心円の円弧状で、前記食品収容凹部の輪郭を形成する外側輪郭線が形成され、
前記外周縁部の長手方向の両側における２箇所の前記外側輪郭線のうちの一方が前記複数の食品収容凹部のうち最も開口面積の大きい１個の食品収容凹部を形成するものであるとともに、
他方の外側輪郭線がその中間部で分離されて前記複数の食品収容凹部のうちの手前側と奥側に区分される２個の食品収容凹部を形成するものである
弁当容器。
【請求項２】
前記最も開口面積の大きい食品収容凹部が、手前側を奥側よりも幅広とするとともに、当該食品収容凹部の中心から見て外側に凸となる円弧状の仕切り輪郭線を有する形状である
請求項１に記載の弁当容器。
【請求項３】
前記手前側と奥側に区分される２個の食品収容凹部の間の仕切り部の前記外側輪郭線側の位置が、前記両端輪郭線の中心を通る長手方向中心線よりも手前側に位置するとともに、
前記仕切り部が前記最も開口面積の大きい１個の食品収容凹部に向けて前記外周縁部の長手方向に直線状に延びる
請求項１または請求項２に記載の弁当容器。
【請求項４】
前記外側輪郭線の一方で形成される前記最も開口面積の大きい食品収容凹部と、前記外側輪郭線の他方で形成される前記手前側と奥側に区分される２個の食品収容凹部のうちの手前側の食品収容凹部との間の仕切り部の手前側位置が、前記両端輪郭線同士の間の中心を長手方向と直交する方向に通る短手方向中心線上に位置する
請求項１から請求項３のうちのいずれか一項に記載の弁当容器。
【請求項５】
前記仕切り輪郭線の外側に、該仕切り輪郭線と相似形状の仕切り輪郭線を有する２個の食品収容凹部と、これらの間に位置して円弧状の角部を前記相似形状の仕切り輪郭線の端部同士を結ぶ仮想仕切り輪郭線に接する１個の食品収容凹部が直線状の仕切り部を介して形成された
請求項２から請求項４のうちのいずれか一項に記載の弁当容器。
【請求項６】
外周縁を形成する外周縁部に囲まれた内側領域に開口形状が互いに異なる５個の食品収容凹部が形成された弁当容器であって、
前記外周縁部の長手方向の両端に、平面視半円弧状をなす両端輪郭線が形成されて前記外周縁部が平面視長円形をなし、
前記内側領域における前記両端輪郭線の内側に、該両端輪郭線と同心円の円弧状で、前記食品収容凹部の輪郭を形成する外側輪郭線が形成され、
前記外周縁部の長手方向の両側における２箇所の前記外側輪郭線のうちの一方が前記５個の食品収容凹部のうち最も開口面積の大きい１個の食品収容凹部を形成するものであるとともに、
他方の外側輪郭線がその中間部で分離されて前記複数の食品収容凹部のうちの手前側と奥側に区分される２個の食品収容凹部を形成するものであり、
前記最も開口面積の大きい食品収容凹部が、手前側を奥側よりも幅広とするとともに、当該食品収容凹部の中心から見て外側に凸となる円弧状の仕切り輪郭線を有する形状であり、
前記最も開口面積の大きい食品収容凹部と、前記外側輪郭線の他方で形成される前記手前側と奥側に区分される２個の食品収容凹部のうちの手前側の食品収容凹部との間の仕切り部の手前側位置が、前記両端輪郭線同士の間の中心を長手方向と直交する方向に通る短手方向中心線上に位置し、
前記手前側と奥側に区分される２個の食品収容凹部の間の仕切り部の前記外側輪郭線側の位置が、前記両端輪郭線の中心を通る長手方向中心線よりも手前側に位置するとともに、
前記仕切り部が前記最も開口面積の大きい１個の食品収容凹部に向けて当該食品用弁当用容器の長手方向に直線状に延びて、前記仕切りの下側に１個の横長形状の食品収容凹部が形成され、
前記仕切り輪郭線の外側に、該仕切り輪郭線と相似形状の仕切り輪郭線を有する前記１個の横長形状の食品収容凹部と、前記相似形状の仕切り輪郭線を有し前記外側輪郭線で形成される前記２個の食品収容凹部のうちの奥側の食品収容凹部とは別の１個の食品収容凹部と、これら食品収容凹部の間に位置して円弧状の角部を前記相似形状の仕切り輪郭線の端部同士を結ぶ仮想仕切り輪郭線に接し、前記手前側と奥側に区分される２個の食品収容凹部のうちの奥側の食品収容凹部とは別の１個の食品収容凹部が直線状の仕切り部を介して形成された
弁当容器。
【請求項７】
前記食品収容凹部のうちの上端縁部を除く部分と、それ以外のすべての部分が互いに異なる色の合成樹脂で成形された
請求項１から請求項６のうちのいずれか一項に記載の弁当容器。
【考案の詳細な説明】
【技術分野】
【０００１】
この考案は、例えば仕出し弁当や宅配弁当などに好適に用いられる繰り返し使用可能な弁当容器に関し、より詳しくは、形状安定性が良好な弁当容器に関する。
【背景技術】
【０００２】
弁当容器として、下記特許文献１のようなものがある。これは、複数の食品収容凹部を有する弁当箱であって、前記複数の食品収容凹部における上端縁を除く部分と、これ以外の部分をそれぞれ異なる色にした２色の樹脂からなる弁当容器である。分離した状態の複数の食品収容凹所を一組の型を用いて成形した後、これらの裏側から、それとは別の色の合成樹脂を被せるように成形を行って前記複数の食品収容凹所を一体化したものである。
【０００３】
この構成により合成樹脂製でありながらも漆器のような高級感を表現できるうえに、複数の食品収容凹部の形状や大きさに変化をつけることによって、食品の盛り付けに相応しい形態にできるので、高い需要があった。
【先行技術文献】
【特許文献】
【０００４】
【特許文献１】特開平１１−２３５７７２号公報
【考案の概要】
【考案が解決しようとする課題】
【０００５】
しかしながら、前記のような弁当容器はこれまで平面視長方形をなすものであった。このため、成形時の反りや捩れなどの変形が生じないように、少なくとも外周縁を形成する外周縁部の高さを高くするなど、形態の安定性を高めるための形状の工夫が必要であった。たとえ成形時には変形しなくとも、その後の使用に伴って受ける洗浄処理や乾燥処理によって変形が生じてしまうと、弁当容器としての価値が減殺されるため、十分な強度を有することが求められていた。
【０００６】
また平面視長方形状であると、長手方向の長さが電子レンジの皿に載る大きさであっても、皿の回転時に角が引っかかって回転せず、加熱することができないことがあった。
【０００７】
さらに、前記のような形状であるため、外観や盛り付けを考慮した様々な形状や大きさの食品収容凹部を形成するときに、食品収容凹部間に、食品を盛りつけられないデッドスペースが生じやすく、空間の無駄があった。
【０００８】
そこで、この考案は、形状安定性がよく、長期間にわたって使用できるような弁当容器を得ることを主な目的とする。
【課題を解決するための手段】
【０００９】
そのための手段は、外周縁を形成する外周縁部に囲まれた内側領域に開口形状の異なる複数の食品収容凹部が形成された弁当容器であって、前記外周縁部の長手方向の両端に、平面視半円弧状をなす両端輪郭線が形成されて前記外周縁部が平面視長円形をなし、前記内側領域における前記両端輪郭線の内側に、該両端輪郭線と同心円の円弧状で、前記食品収容凹部の輪郭を形成する外側輪郭線が形成され、前記外周縁部の長手方向の両側における２箇所の前記外側輪郭線のうちの一方が前記複数の食品収容凹部のうち最も開口面積の大きい１個の食品収容凹部を形成するものであるとともに、他方の外側輪郭線がその中間部で分離されて前記複数の食品収容凹部のうちの手前側と奥側に区分される２個の食品収容凹部を形成するものである弁当容器である。
【００１０】
この構成では、前記外周縁部のうち両端輪郭線を有する部分が、その平面視形状によって捩れの発生を抑制する。たとえ捩れが生じても、捩れによる歪みの発生を、平面視長方形の外周縁部を有する場合に比して小さくする。
【００１１】
また前記両端輪郭線と同心円の外側輪郭線を有する複数の食品収容凹部が、前記外周縁部の両端輪郭線とともに形状の安定化を図る。そのうえ、食品収容凹部と外周縁部との間に食品を盛りつけられない部分ができるのを抑制する。
【００１２】
その上で得られる最も開口面積の大きい１個の食品収容凹部が、飯または主菜の盛り付けに適した部分であると一目でわかると部位となり、弁当容器としての使いやすさを向上する。しかもその最も開口面積の大きい１個の食品収容凹部と、これと同様に外側輪郭線を有する２個の食品収容凹部とは平面視四角い凹部に比して大きな湾曲を有する形状となるので、洗浄するときの汚れ落ちが良好であるうえに、洗浄に際して圧力の高い温水を噴射しても変形を招来しにくくする。
【００１３】
さらに前記外周縁部のうち両端輪郭線を有する部分が、電子レンジで加熱するときの回転を許容する。
【００１４】
別の手段は、外周縁を形成する外周縁部に囲まれた内側領域に開口形状の異なる５個の食品収容凹部が形成された弁当容器であって、前記外周縁部の長手方向の両端に、平面視半円弧状をなす両端輪郭線が形成されて前記外周縁部が平面視長円形をなし、前記内側領域における前記両端輪郭線の内側に、該両端輪郭線と同心円の円弧状で、前記食品収容凹部の輪郭を形成する外側輪郭線が形成され、前記外周縁部の長手方向の両側における２箇所の前記外側輪郭線のうちの一方が前記５個の食品収容凹部のうち最も開口面積の大きい１個の食品収容凹部を形成するものであるとともに、他方の外側輪郭線がその中間部で分離されて前記複数の食品収容凹部のうちの手前側と奥側に区分される２個の食品収容凹部を形成するものであり、前記最も開口面積の大きい食品収容凹部が、手前側を奥側よりも幅広とするとともに、当該食品収容凹部の中心から見て外側に凸となる円弧状の仕切り輪郭線を有する形状であり、前記最も開口面積の大きい食品収容凹部と、前記外側輪郭線の他方で形成される前記手前側と奥側に区分される２個の食品収容凹部のうちの手前側の食品収容凹部との間の仕切り部の手前側位置が、前記両端輪郭線同士の間の中心を長手方向と直交する方向に通る短手方向中心線上に位置し、前記手前側と奥側に区分される２個の食品収容凹部の間の仕切り部の前記外側輪郭線側の位置が、前記両端輪郭線の中心を通る長手方向中心線よりも手前側に位置するとともに、前記仕切り部が前記最も開口面積の大きい１個の食品収容凹部に向けて当該食品用弁当用容器の長手方向に直線状に延びて、前記仕切りの下側に１個の横長形状の食品収容凹部が形成され、前記仕切り輪郭線の外側に、該仕切り輪郭線と相似形状の仕切り輪郭線を有する前記１個の横長形状の食品収容凹部と、前記相似形状の仕切り輪郭線を有し前記外側輪郭線で形成される前記２個の食品収容凹部のうちの奥側の食品収容凹部とは別の１個の食品収容凹部と、これら食品収容凹部の間に位置して円弧状の角部を前記相似形状の仕切り輪郭線の端部同士を結ぶ仮想仕切り輪郭線に接し、前記手前側と奥側に区分される２個の食品収容凹部のうちの奥側の食品収容凹部とは別の１個の食品収容凹部が直線状の仕切り部を介して形成された弁当容器である。
【００１５】
前記作用に加えて、前記仕切り輪郭線と、これに接する仕切り部と、その他の直線状の仕切り部が、５個の食品収容凹部のバランスを良好に保ちつつ、形状の安定化を図るとともに、食品収容凹部間にできるデッドスペースを少なくしながら形状の異なる５個の食品収容凹部を美麗に配置する。
【００１６】
前記食品収容凹部のうちの上端縁部を除く部分と、それ以外のすべての部分が互いに異なる色の合成樹脂で成形されると、これらの配色が弁当用器に高級感をもたらす。
【考案の効果】
【００１７】
以上のように、この考案によれば、形状安定性がよく、長期間にわたって使用できる弁当容器を得られる。
【図面の簡単な説明】
【００１８】
【図１】弁当容器と蓋体の斜視図。
【図２】弁当容器と蓋体の断面図。
【図３】弁当容器の平面図。
【図４】弁当容器の構成を説明するための説明図。
【考案を実施するための形態】
【００１９】
この考案を実施するための一形態を、以下図面を用いて説明する。  
図１は、弁当容器１１と、これに被せる蓋体１２の斜視図である。弁当容器１１は外周縁を形成する外周縁部１３に囲まれた内側領域１４に、開口形状が互いに異なる５個の食品収容凹部１５，１６，１７，１８，１９を有する。図２は、弁当容器１１に蓋体１２を被せたところを図１のＡ−Ａ部分で切断した断面図であり、弁当容器１１の前記食品収容凹部１５，１６，１７，１８，１９のうちの上端縁部１５ａ，１６ａ，１７ａ，１８ａ，１９ａを除く部分と、それ以外のすべての部分が互いに異なる色の合成樹脂で成形されている。色は例えば赤と黒など、適宜選択される。
【００２０】
前記外周縁部１３は平面視長円形である。すなわち、弁当の平面図である図３と、その特徴を説明する説明図である図４に示したように、長手方向（左右方向）の両端に、平面視半円弧状をなす両端輪郭線２０，２１が形成され、これらの両端が直線２２で連結された形状である。
【００２１】
外周縁部１３は適宜の高さを有し、この下端の内周から前記内側領域１４が形成されている（図２参照）。内側領域１４には、仕切り部２３，２４，２５，２６で仕切られた前記食品凹部１５，１６，１７，１８，１９が形成されている。
【００２２】
内側領域１４のうちの前記両端輪郭線２０，２１に近い部分には、３個の食品収容凹部１５，１６，１７が設けられる。いずれの食品収容凹部１５，１６，１７も、前記両端輪郭線２０，２１と同心円で外周縁部１３の内周縁よりも若干小径の円弧状の外側輪郭線２７，２８を輪郭の一部とする。
【００２３】
外周縁部１３の長手方向の一方（右方）の外側輪郭線２７は、５個の食品収容凹部１５，１６，１７，１８，１９のうち最も開口面積が大きい１個の最大食品収容凹部１５を形成するもので、前記両端輪郭線２７の長さより若干短い長さである。
【００２４】
外周縁部１３の長手方向の他方（左方）の外側輪郭線２８は、その中間部で分離されて手前側と奥側とに区分される２個の食品収容凹部（手前側食品収容凹部１６、奥側食品収容凹部１７）を形成する。手前側食品収容凹部１６は、前記最大食品収容凹部１５の近くまで延びる形状である。奥側食品収容凹部１７は、手前側食品収容凹部１６に比して外周縁部１３の長手方向に短い形状で、この奥側食品収容凹部１７と前記最大食品収容凹部１５との間に、２個の食品収容凹部（中間食品収容凹部１８、最小食品収容凹部１９）が設けられる。
【００２５】
前記最大食品収容凹部１５は、手前側を奥側よりも幅広とする形状である。すなわち、外側輪郭線２７の下端から長手方向に直線状に延びる延設部２９が設けられるとともに、この延設部２９と外側輪郭線２７とを、最大食品収容凹部１５の中心から見て外側に凸となる円弧状の仕切り輪郭線３０を有する形状である。仕切り輪郭線３０と延設部２９の間と、仕切り輪郭線３０と外側輪郭線２７との間には適宜の角アール部３１が形成されている。
【００２６】
前記のように手前側食品収容凹部１６は最大食品収容凹部１５の近傍まで延びる略横長長方形であるが、最大食品収容凹部１５と手前側食品収容凹部１６との間の円弧状仕切り部２３の手前側位置は前記両端輪郭線２０，２１同士の間の中心を長手方向と直交する方向に通る短手方向中心線５１上に設定されている。
【００２７】
また手前側食品収容凹部１６と奥側食品収容凹部１７の間の長手方向仕切り部２４の外側輪郭線２８側の位置は、両端輪郭線２０，２１の中心を通る長手方向中心線５２よりも若干手前側にずらしてある。このずれ幅ａは他の仕切り部２３，２５，２６の形状や配置等に応じて適宜設定され。
【００２８】
そして、この長手方向仕切り部２４は外周縁部１３の長手方向に直線状に延びて、前記円弧状の仕切り輪郭線３０を有する前記円弧状仕切り部２３に結合する。手前側食品収容凹部１６の円弧状仕切り部２３側の端には、最大食品収容凹部１５の円弧状の仕切り輪郭線３０の一部と相似形状の仕切り輪郭線３２を有する。
【００２９】
手前側食品収容凹部１６の長手方向仕切り部２４を隔てた奥側には、前記中間食品収容凹部１８が形成される。この中間食品収容凹部１８は、前記奥側食品収容凹部１７とは別個のもので、奥側食品収容凹部１７とは、短手方向に延びる短手方向仕切り部２５で仕切られている。
【００３０】
また、中間食品収容凹部１８は、前記最小食品収容凹部１９とは、斜めに延びて前記円弧状仕切り部２３に結合する傾斜仕切り部２６で仕切られている。
【００３１】
最小食品収容凹部１９の円弧状仕切り部２３に接する仕切り輪郭線３３は、前記最大食品収容凹部１５の仕切り輪郭線３０の一部と相似形状である。また前記中間食品収容凹部１８の円弧状の角部である角アール部３１は、前記最小食品収容凹部１９と手前側食品収容凹部１６の相似形状の前記仕切り輪郭線３２，３３の端部同士を結ぶ仮想仕切り輪郭線３４に接するように形成されている。
【００３２】
前記各仕切り部２３，２４，２５，２６の幅は同一幅に設定され、各食品収容凹部１５，１６，１７，１８，１９の角部分には角アール部３１が形成されている。また、各食品収容凹部１５，１６，１７，１８，１９の深さは適宜設定される。例えば図２に示したように、中間食品収容凹部１８は、最大食品収容凹部１５や手前側食品収容凹部１６よりも浅く形成されるとよい。
【００３３】
このように平面視長円形の外周縁部１３の内側に、外周縁部１３の一方側の半円弧状の部分と向き合うような形状の円弧状仕切り部２３によって最大食品収容凹部１５が形成され、前記円弧状仕切り部２３には、放射状に延びるように形成された長手方向仕切り部２４と傾斜仕切り部２６が形成されている。また、長さが長い長手方向仕切り部２４には前記短手方向仕切り部２５が結合する。そしてこれらは断面逆Ｖ字状をなし、幅は均一であるため、リブとしての機能を果たす。つまり、前記最大食品収容凹部１５を形成する形成する円弧状仕切り部２３には、複数の仕切り部（長手方向仕切り部２４と傾斜仕切り部２６）が結合されて、これら仕切り部２３，２４，２５，２６と外周縁部１３が相互に支えあう構成であるので、たとえ外周縁部１３の高さを低く形成した場合であっても、また前記最大食品収容凹部１５を形成しても、歪みの発生を抑制し、形状保持力が高い形状となる。
【００３４】
しかも、外周縁部１３の平面視形状によって捩れの発生が抑制され、たとえ捩れが生じても、捩れによる歪みの発生を、平面視長方形の外周縁部を有する場合に比して小さくすることができる。
【００３５】
さらに、外周縁部１３のすぐ内側に、これと同心円の外側輪郭線２７，２８を有する３個の食品収容凹部１５，１６，１７が形成されているので、強度を有する形状となる。
【００３６】
このため、成形時に反りや捩れが生じにくい上に、洗浄や乾燥を繰り返しても、反りや捩れが発生しにくく、耐久性が得られる。
【００３７】
しかも、各仕切り部２３，２４，２５，２６で仕切られた５個の食品収容凹部１５，１６，１７，１８，１９は、それぞれ異なる形状であり、大きさも異なるので、弁当容器として食品の盛り付けがし易く、外観上の美麗さも得られる。
【００３８】
また各食品収容凹部１５，１６，１７，１８，１９を仕切る仕切り部２３，２４，２５，２６は同一幅の線状であるので、内側領域１４を無駄なく仕切れる。つまり食品収容凹部１５，１６，１７，１８，１９間に食品を盛りつけられない部分ができるのを抑えて、面積の有効利用が図れる。このように面積の有効利用が図れることと、前記のように外周縁部１３の高さを低くできるために食品収容凹部１５，１６，１７，１８，１９自体の深さを深くできることによって、盛り付けられる量も増やせるという効果も得られる。
【００３９】
そのうえ前記最大食品収容凹部は、手前側から奥側にかけて広がるとともに、手前側が広い形状であるので、飯または主菜の盛り付けに適した部分であることが一目でわかる部位となるので、数多くの弁当を供給する業務が間違いなく円滑に行える。
【００４０】
また最大食品収容凹部１５も手前側食品収容凹部１６も奥側食品収容凹部１７も大きな円弧状をなす外側輪郭線を有する形状の凹所であるので、洗浄するときの汚れ落ちが良好であり、洗浄に際して圧力の高い温水が噴きつけられても変形を生じにくくすることができる。
【００４１】
さらに顧客にとっては、提供された弁当を食する前に加熱しようとするときに電子レンジを用いても、弁当容器１１は角がない形状であるので、回転するときに引っ掛かることはなく、加熱が可能である。
【００４２】
前記のように強度や形状安定性の面でも利点があることに加えて、前記のような外周縁部１３と食品収容凹部１５，１６，１７，１８，１９と仕切り部２３，２４，２５，２６を有する構成であるので、畏まった印象ではなく全体として柔らかい印象を表現できて特に宅配弁当に好適に使用できるとともに、５個の食品収容凹部１５，１６，１７，１８，１９をバランスよく配設することができる。２色の配色により外観も美麗である。つまり、最大食品収容凹部１５を仕切る円弧状仕切り部２３が、外側輪郭線２７と同様に大きな円弧状を描くので調和が生まれる。また、円弧状仕切り部２３の位置が短手方向中心線５１上に位置し、長手方向仕切り部２４が長手方向中心線５２よりも若干手前側に位置するので、手前側食品収容凹部１６が最大食品収容凹部１５を圧迫することはなく、全体として奥側食品収容凹部１７を圧迫することもなく、美麗な外観が得られる。
【００４３】
この考案の構成と前記一形態の構成との対応において、  
この考案の最も開口面積の大きい１個の食品収容凹部は、前記最大食品収容凹部１５に対応し、  
以下同様に、  
手前側と奥側に区分される２個の食品収容凹部は、手前側食品収容凹部１６、奥側食品収容凹部１７に、
手前側と奥側に区分される２個の食品収容凹部の間の仕切り部は、長手方向仕切り部２４に、
最も開口面積の大きい食品収容凹部と、手前側の食品収容凹部との間の仕切り部は、円弧状仕切り部２３に、
円弧状の角部は、中間食品収容凹部１８の角アール部３１に、
直線状の仕切り部は、長手方向仕切り部２４、傾斜仕切り部２６に対応する。
【符号の説明】
【００４４】
１１…弁当容器
１３…外周縁部
１４…内側領域
１５…最大食品収容凹部
１６…手前側食品収容凹部
１７…奥側食品収容凹部
１８…中間食品収容凹部
１９…最小食品収容凹部
１５ａ，１６ａ，１７ａ，１８ａ，１９ａ…上端縁部
２０，２１…両端輪郭線
２３…円弧状仕切り部
２４…長手方向仕切り部
２６…傾斜仕切り部
２７，２８…外側輪郭線
３０…円弧状の仕切り輪郭線
３１…角アール部
３２，３３…仕切り輪郭線
５１…短手方向中心線
５２…長手方向中心線
【図１】
0003168677.tif 000003
【図２】
0003168677.tif 000004
【図３】
0003168677.tif 000005
【図４】
0003168677.tif 000006